(57)【要約】【課題】これまでにない躍動感のある画像を撮影することができ、集客力を向上させる撮影装置を提供する。【解決手段】利用者８、背景液晶ディスプレイ９、ライド１０等の撮影対象物を撮影するＣＣＤカメラ５等と、ＣＣＤカメラ５による撮影時に撮影対象物に風を吹き付ける送風機４とを有し、ＣＣＤカメラ５で撮影した画像データを記憶し、該画像データをタッチパネル式モニタ１１等により出力する。【選択図】図１
2008076796.tif 000002
【特許請求の範囲】
【請求項１】
撮影対象物を撮影する撮影手段と、
前記撮影手段による撮影時に前記撮影対象物に風を吹き付ける送風手段と、
前記撮影手段で撮影した画像データを記憶する画像データ記憶手段と、
前記画像データを出力する出力手段と
を備えていることを特徴とする撮影装置。
【請求項２】
外部機器とのデータ通信が可能である外部装置とデータ通信可能に接続するデータ通信手段をさらに有し、
前記出力手段は、
前記画像データを前記外部装置に前記データ通信手段を介して送信する画像データ送信手段を備えていることを特徴とする請求項１に記載の撮影装置。
【請求項３】
前記外部装置において処理された前記画像データに関する情報を、前記データ通信手段を介して前記外部装置から受信する画像情報受信手段をさらに有し、
前記出力手段は、
前記画像データに関する情報を報知する報知手段を備えていることを特徴とする請求項２に記載の撮影装置。
【請求項４】
前記画像データに関する情報を二次元コードに暗号化する二次元コード化手段をさらに備え、
前記画像データに関する情報は、
前記外部装置により外部からアクセス可能にされた前記画像データへのアクセス先を特定するアドレス情報を有し、
前記報知手段は、
前記外部機器を介して読み取り可能に前記二次元コードを表示及び印刷することが可能であることを特徴とする請求項３に記載の撮影装置。
【請求項５】
請求項２〜４の何れかに記載された撮影装置とデータ通信可能に接続するデータ通信手段と、
前記撮影装置から前記画像データを受信する画像データ受信手段と、
前記画像データを記憶する管理側画像データ記憶手段と、
前記画像データを外部からアクセス可能にする画像データ管理手段と、
アクセス可能にされた前記画像データの情報を前記撮影装置に送信する画像データ情報送信手段と
を備えていることを特徴とする撮影管理装置。
【発明の詳細な説明】
【技術分野】
【０００１】
本発明は、撮影対象物を撮影する撮影装置及び撮影装置が撮影した画像データを管理する撮影管理装置に関するものである。
【背景技術】
【０００２】
従来、ＣＣＤカメラなどの撮影手段により利用者の写真を撮影する自動写真撮影装置においては、集客力を向上させるため、撮影時のアミューズメント性を高める、あるいは利用者の利便性を高める等の種々の工夫がなされている。
【０００３】
例えば、特許文献１に記載のものには、予め設定された写真撮影のタイミングに同期させて、利用者が視認可能な位置に手本となるポーズを表示する自動写真撮影装置が開示されている。これにより、写真撮影に際して利用者がとるべきポーズの手本を視覚的に示すことにより、利用者がより満足できる写真の撮影を行うことができるようにしている。
【０００４】
また、特許文献２に記載のものには、利用者を撮影した画像データをセンタサーバに送信及び記憶すると共に利用者にＩＤを発行し、利用者にＩＤを通信回線経由でセンタサーバに送信させることで、利用者に該画像データを提供する自動写真撮影装置が開示されている。これにより、例えば、履歴書を通信ネットワーク経由で提出する際、照明写真をスキャナで読み込んでデジタルデータに変換する手順を踏むことなく、画像データを履歴書に添付して送信することを容易にしている。
【０００５】
【特許文献１】特開２００６−１４５７９０号公報
【特許文献２】特開２００４−０５４６７２号公報
【発明の開示】
【発明が解決しようとする課題】
【０００６】
しかし、新味のある画像という点では、利用者がポーズをとるということは既に一般的であり、特許文献１に記載のものは、目新しい画像を撮影することはできなかった。
【０００７】
また、特許文献２に記載のものは、利用者はセンタサーバに自分でアクセスし、発行されたＩＤを入力する、といった手順を踏まなければ画像データを得ることはできず、非常に非効率であった。
【０００８】
本発明の目的は、上記の状況に鑑み、これまでにない躍動感のある画像を撮影することができ、集客力を向上させる撮影装置を提供することである。
【０００９】
また、本発明の別の目的は、画像データを外部装置に保存し、外部機器によって画像データへ容易にアクセスできる撮影管理装置を提供することである。
【課題を解決するための手段及び効果】
【００１０】
上記目的を達成するために、本発明は、撮影対象物を撮影する撮影手段と、前記撮影手段による撮影時に前記撮影対象物に風を吹き付ける送風手段と、前記撮影手段で撮影した画像データを記憶する画像データ記憶手段と、前記画像データを出力する出力手段とを備えていることを特徴とする（発明１）。
【００１１】
上記構成によれば、撮影時に撮影対象物に対し送風手段によって風を送ることにより、撮影対象物の躍動感ある様子を撮影することができる。これにより、利用者の興味を引く撮影装置を提供することができ、管理者の利益を向上させることが可能になる場合がある。
【００１２】
また、画像データを画像データ記憶手段に記憶することができると共に、この記憶した画像データを出力手段により出力することができるため、利用者は出力手段を用いて任意の時間に記憶された画像データを取得することができる。この結果、利用者にとって利便性の高い撮影装置となる。
【００１３】
また、本発明は、外部機器とのデータ通信が可能である外部装置とデータ通信可能に接続するデータ通信手段をさらに有し、前記出力手段は、前記画像データを前記外部装置に前記データ通信手段を介して送信する画像データ送信手段を備えていることを特徴とする（発明２）。
【００１４】
上記の構成によれば、外部装置に画像データ送信手段を用いて画像データを送信して保管しておくことができる。これにより、例えば、外部装置がサーバ装置であって、このサーバ装置で管理されるＷＥＢサイト等に保存された場合、携帯電話等の外部機器でデータ通信することにより保管された画像データを取得することができる場合がある。
【００１５】
さらに、本発明は、前記外部装置において処理された前記画像データに関する情報を、前記データ通信手段を介して前記外部装置から受信する画像情報受信手段をさらに有し、前記出力手段は、前記画像データに関する情報を報知する報知手段を備えていることを特徴とする（発明３）。
【００１６】
上記の構成によれば、外部装置で処理がなされた画像データに関する情報が報知手段により報知されるようになっている。これにより、利用者は画像データの処理内容や保存先等を把握できるようになる。例えば、外部装置がサーバ装置であって、そのサーバ装置で管理されるＷＥＢサイト等に画像データが保存された場合、利用者に対して、そのＷＥＢサイトへのアクセス先を特定するアドレス情報を報知できる。これにより、利用者は撮影した画像が印刷されるのを待つ必要がなく、報知されたアドレスにアクセスするだけで撮影した画像を取得することができる場合がある。
【００１７】
さらに、本発明は、前記画像データに関する情報を二次元コードに暗号化する二次元コード化手段をさらに備え、前記画像データに関する情報は、前記外部装置により外部からアクセス可能にされた前記画像データへのアクセス先を特定するアドレス情報を有し、前記報知手段は、外部機器を介して読み取り可能に前記二次元コードを表示及び印刷することが可能であることを特徴とする（発明４）。
【００１８】
上記の構成によれば、外部装置に送信した画像データに関する情報を二次元コードにて利用者に報知手段により表示または印刷できるため、例えば、利用者にアクセスして欲しいアドレス情報である画像データのＵＲＬ（Ｕｎｉｆｏｒｍ  Ｒｅｓｏｕｒｃｅ  Ｌｏｃａｔｏｒ）を二次元コードにて提供することで、利用者が現在多くの携帯電話機に備えられている二次元コード読み取り機能を使用することにより、利用者は容易に画像データにアクセスすることができる場合がある。
【００１９】
さらに、本発明は、発明２〜４の何れかに記載された撮影装置とデータ通信可能に接続するデータ通信手段と、前記撮影装置から前記画像データを受信する画像データ受信手段と、前記画像データを記憶する管理側画像データ記憶手段と、前記画像データを外部からアクセス可能にする画像データ管理手段と、アクセス可能にされた前記画像データの情報を前記撮影装置に送信する画像データ情報送信手段とを備えていることを特徴とする（発明５）。
【００２０】
上記の構成によれば、例えば、撮影装置が外部に画像を保存した場合、その画像データにアクセスするためのアドレス情報である画像データのＵＲＬを撮影装置に送信することができ、利用者に画像データのＵＲＬを報知することで、例えば携帯電話機により、そのＵＲＬにアクセスすることで、保存された画像を取得することができる。これにより、保存された画像に対して容易にアクセスすることができ、ユーザの利便性を向上させることが可能になる場合がある。
【発明を実施するための最良の形態】
【００２１】
本発明の実施の形態を図１ないし図７に基づいて以下に説明する。
【００２２】
手段により撮影ブース内の利用者の画像を撮影するものであり、遊技場等に設置されることを想定している。
【００２３】
また、本実施形態にかかる撮影管理装置は、『サーバ装置』であり、自動写真撮影装置とは、物理的に離れており、インターネット回線を通じて複数の自動写真撮影装置と接続された状態であることを想定している。
【００２４】
本実施の形態では、上記の自動写真撮影装置、及び上記のサーバ装置は、撮影システムに含まれており、撮影システムは自動写真撮影装置と、サーバ装置と、携帯電話機から構成される。
【００２５】
（撮影システム１００の構成）
本実施形態に係る撮影装置は、『自動写真撮影装置』であり、図１は、自動写真撮影装置１を含む撮影システム１００の構成を示している。図１に示されるように、本実施形態に係る撮影システム１００は、自動写真撮影装置１と、自動写真撮影装置１を管理するサーバ装置２と、携帯電話機３とを有している。自動写真撮影装置１とサーバ装置２とは、インターネット等を介してデータ通信可能に接続されている。尚、両者間の接続は、無線通信及び有線通信の何れでもよい。また、サーバ装置２と携帯電話機３とは、インターネット回線及び無線回線を介してデータ通信可能に接続されている。携帯電話機３は、サーバ装置２等へのインターネット上へのアクセス、ウェブページの閲覧、及び二次元コードの読み取り及び復号化等の機能を有している。
【００２６】
（自動写真撮影装置１）
自動写真撮影装置１は、撮影ブース１ａを有している。撮影ブース１ａは、中に空間のある略立方体であり、直立する４面のうち１面が開放されている。以下、その開放された１面が向く方向を正面として説明する。正面側の開放された面には図示しないカーテンが設けられており、開放した面の全てを覆うことができるようになっている。自動写真撮影装置１の底面中央には、利用者８が２人程度乗ることができるバイク型のライド１０が設けられている。
【００２７】
撮影ブース１ａの正面から見て左側の面には背景液晶ディスプレイ９が設けられている。また、撮影ブース１ａの正面から見て右側の面の略中央にはＣＣＤカメラ５が設けられており、ＣＣＤカメラ５の下方に送風機４、ＣＣＤカメラ５の上方に液晶ディスプレイ６、ＣＣＤカメラ５の右側にコイン投入口１３が設けられている。また、撮影ブース１ａの正面から見て後方側の面には操作スイッチ７が設けられており、液晶ディスプレイ６に表示された内容に対する選択や撮影画像の決定等の操作を行うことができるようになっている。
【００２８】
背景液晶ディスプレイ９は、ライド１０に合わせた背景映像を表示することができるようになっている。ＣＣＤカメラ５は、後述の撮影制御回路２０の制御により、撮影対象物を撮影し、所定のタイミングで画像データとして取得することができるようになっている。また、ＣＣＤカメラ５の撮影範囲内に、背景液晶ディスプレイ９やライド１０の少なくとも一部分が入るようになっている。送風機４は、ライド１０や背景液晶ディスプレイ９に合わせた風を利用者８に吹きつけることができるようになっており、送風機４の送風の強度、ライド１０、及び背景液晶ディスプレイ９が表示する背景映像を組み合わせることで、バイクを運転しているように感じさせるスピード感のある撮影ができるようになっている。
【００２９】
液晶ディスプレイ６は、ＣＣＤカメラ５で撮影している映像や利用者８が背景映像等を選択する際のメニューなどが表示されるようになっている。コイン投入口１３は、利用者８によってコインを投入させることで、後述の投入コインセンサ２４がコインを感知し、写真の撮影が開始されるようになっている。操作スイッチ７は、背景映像や風量の選択メニューが液晶ディスプレイ６に表示された場合、利用者８が操作することで、選択及び決定をすることができるようになっている。また、操作スイッチ７は、利用者８がライド１０に乗った状態のまま、操作できるようになっている。
【００３０】
また、自動写真撮影装置１は、撮影ブース１ａの正面から見て右側の前面に、タッチパネル式モニタ筐体１ｂを有している。タッチパネル式モニタ筐体１ｂは略立方体であるが、上面は前方に向かうに従い鉛直下方向に下がる傾斜を有する。さらにタッチパネル式モニタ筐体１ｂの上面には、タッチパネル式モニタ１１と印刷排出口１２とが設けられており、タッチパネル式モニタ１１に表示される後述の二次元コードを印刷したものを印刷排出口１２から排出することができるようになっている。
【００３１】
タッチパネル式モニタ１１は、利用者８が写真を撮影した後に、「二次元コードを携帯電話で読み取り、取得したＵＲＬへ１０日以内にアクセスしてください。」というメッセージと共に、サーバ装置２に保存された画像データにアクセスするためのＵＲＬを二次元コードに暗号化したものが、撮影枚数分（本実施例では３枚）表示される。利用者８は、携帯電話機３により、二次元コードを読み取った後、復号化したＵＲＬにアクセスすることで、利用者８が撮影した画像データを取得することができるようになっている。また、タッチパネル式モニタ１１には、「二次元コードを印刷しますか？」というメッセージと共に、「ＹＥＳ」／「ＮＯ」のボタン状のものが表示され、「ＹＥＳ」の箇所に触れることで、後述のプリンタ２８が二次元コードを印刷し、印刷排出口１２から印刷されたものが排出されるようになっている。
【００３２】
ここで、タッチパネル式モニタ１１は、後の機能変更及び追加があったとしても、ソフトウェアによる変更で柔軟に対応できるようにタッチパネルとしたが、これに限定されることなく、モニタ周辺に実際に押下できるボタンを設けたものでも良い。
【００３３】
（サーバ装置２）
自動写真撮影装置１は、撮影後、撮影した画像データをサーバ装置２に送信するようになっている。サーバ装置２は、自動写真撮影装置１から画像データを受信した後、画像データを保存し、その画像データにアクセスするためのＵＲＬを自動写真撮影装置１に送信するようになっている。
【００３４】
（携帯電話機３）
自動写真撮影装置１は、サーバ装置２から画像データのＵＲＬを送信されるとＵＲＬを二次元コードに暗号化し、タッチパネル式モニタ１１に二次元コードを表示若しくは印刷するようになっている。表示若しくは印刷された二次元コードは携帯電話機３で読み取り可能であり、携帯電話機３で読み取り後複合化することで、画像データのＵＲＬを取得することができるようになっている。携帯電話機３は、取得したＵＲＬにアクセスすることで、撮影した画像データを容易に取得することができるようになっている。
【００３５】
（撮影システム１００の電気的構成）
次に、図２を参照して、撮影システム１００を構成する、自動写真撮影装置１、サーバ装置２、及び携帯電話機３についての電気的構成を説明する。
【００３６】
（自動写真撮影装置１）
まず、自動写真撮影装置１について説明する。自動写真撮影装置１は、マイクロコンピュータ４５、ハードディスク１９、撮影制御回路２０、ＣＣＤカメラ５、画像制御回路４６、液晶ディスプレイ６、背景液晶ディスプレイ９、投入コインセンサ２４、操作スイッチ７、送風機駆動回路２５、送風機４、モニタ制御回路２６、タッチパネル式モニタ１１、プリンタ制御回路２７、及びプリンタ２８を有している。
【００３７】
マイクロコンピュータ４５は、ＣＰＵ１４と、通信ポート１５と、ＲＡＭ１６と、ＲＯＭ１７と、Ｉ／Ｏポート１８とを有している。ＣＰＵ１４は、予め設定されたプログラムや利用者８からの入力に従って制御動作を行う。通信ポート１５は、インターネット回線を介してサーバ装置２とのデータ通信を可能にしている。ＲＡＭ１６は、プログラムをＣＰＵ１４で実行するときの一時記憶手段（バッファ）として構成されている。ＲＯＭ１７には、後述の図４で示される撮影ルーチン等のプログラムが格納されている。Ｉ／Ｏポート１８は、各種内部機器との通信を行う。
【００３８】
ハードディスク１９は、補助記憶装置であり、ＣＣＤカメラ５により撮影された画像が保存される。撮影制御回路２０は、マイクロコンピュータ４５からの命令に基づき、ＣＣＤカメラ５の制御を行う。投入コインセンサ２４は、利用者８がコイン投入口１３にコインが投入されたことを示す信号をＣＰＵ１４に送信する。送風機駆動回路２５は、操作スイッチ７により設定された風量に基づき、送風機４を駆動させる。モニタ制御回路２６は、予め設定されたプログラムに従い、マイクロコンピュータ４５で生成された二次元コードをタッチパネル式モニタ１１への表示し、利用者８からの二次元コードの印刷要求を受け付ける。プリンタ制御回路２７は、モニタ制御回路２６が二次元コードの印刷要求を受け付けた場合、表示されている二次元コードをプリンタ２８により印刷し、印刷排出口１２から排出する。
【００３９】
画像制御回路４６は、画像制御ＩＣ２１と、画像ＲＡＭ２２と、画像ＲＯＭ２３で構成される。画像制御ＩＣ２１は、マイクロコンピュータ４５で設定されたパラメータに基づき、画像制御プログラムに従って、液晶ディスプレイ６及び背景液晶ディスプレイ９における表示内容を決定する。画像制御ＲＡＭ２２は、画像制御プログラムを画像制御ＩＣ２１で実行するときの一時記憶手段として構成される。画像ＲＯＭ２３は、画像及び動画を形成するためのデータや画像制御プログラムが格納されている。
【００４０】
（サーバ装置２）
次に、サーバ装置２について説明する。サーバ装置２は、ＣＰＵ２９、通信ポート３０、ＲＡＭ３１、ＲＯＭ３２、Ｉ／Ｏポート３３、及びハードディスク３４を有している。ＣＰＵ２９は、予め設定されたプログラムに従って制御動作を行う。通信ポート３０は、インターネット回線を介して、自動写真撮影装置１及び携帯電話機３とデータ通信を行う。ＲＡＭ３１は、プログラムをＣＰＵ２９で実行するときの一時記憶手段（バッファ）として構成されている。ＲＯＭ３２は、後述の図５乃至図７で示される各種ルーチン等のプログラムが格納されている。Ｉ／Ｏポート３３は、ハードディスク３４との通信を行う。ハードディスク３４は、補助記憶装置であり、自動写真撮影装置１から送信された画像データが格納され、さらに後述の図３に示される画像データテーブルが格納される。
【００４１】
（画像データテーブル）
次に、図３を参照して画像データテーブルについて説明する。画像データテーブルは、サーバ装置２に画像データを保存する際、若しくは、サーバ装置２から携帯電話機３によって画像データを取得する際において選択されるものである。
【００４２】
画像データテーブルは、ＩＤ欄と、登録日時欄と、画像データ欄とを有している。ＩＤ欄は、画像データに割り振られた番号であるＩＤが格納される。登録日時欄は、サーバ装置２が画像データを受信した日時が格納される。画像データ欄は、ハードディスク３４内の画像データのファイルパスが格納される。
【００４３】
例えば、本実施例の場合、ＩＤは、登録年月日＋シーケンシャル番号が付けられることでユニークキーとなり、全ての画像データに違う番号が割り振られる。携帯電話機３がサーバ装置２にアクセスする際、アクセス先を限定するＵＲＬにＩＤを含めることで、携帯電話機３は、利用者８が撮影した画像データを取得することができるようになっている。
【００４４】
（携帯電話機３）
次に、携帯電話機３について説明する。携帯電話機３は、マイクロコンピュータ３５、通信部３６、音声回路３７、マイク３８、スピーカ３９、メモリ４０、ＣＣＤカメラ４１、操作キー４２、及び液晶画面４３を有している。マイクロコンピュータ３５は、予め設定されたプログラムに基づき、例えば、電話の発着信処理、音声処理、インターネット処理等を行う。
【００４５】
通信部３６は、インターネット回線に接続する際等に用いられる。音声回路３７は、例えば、マイクロコンピュータから送信される音声をスピーカ３９から出力したり、マイク３８から入力される音声をマイクロコンピュータ３５に送信したりする。メモリ４０は、記憶装置であり、例えば、二次元コードを復号化するプログラム等が格納されている。ＣＣＤカメラ４１は、利用者８の操作により、二次元コードの読み取りを行う。操作キー４２は、利用者８が数字や記号等を入力するキーであり、液晶画面４３に表示された内容に従ってデータ等を入力する。例えば、二次元コードを読み取る際、ＣＣＤカメラ４１により、二次元コードが液晶画面４３に表示され、二次元コードが液晶画面４３の所定の位置に定まったときに、利用者８は操作キー４２を操作することで、二次元コードを読み取ることができる。
【００４６】
（自動写真撮影装置１の動作：撮影ルーチン）
上記の構成において、図４に示す撮影ルーチンのフローチャートを参照して、自動写真撮影装置１におけるＣＰＵ１４の撮影制御動作について説明する。撮影ルーチンは、コイン投入口１３にコインが投入され、投入コインセンサ２４がコインを検知することで開始される。
【００４７】
初めに、ＣＰＵ１４は、プレイ説明の表示を行う（Ａ１）。具体的には、撮影枚数、撮影における注意等が表示される。また、同時にＲＡＭ１６に記憶される撮影カウントが０に初期化される。尚、撮影カウントとは、撮影される毎に加算されるものである。続いて、背景動画の選択を行う（Ａ２）。具体的には、背景動画の選択メニューが液晶ディスプレイ６に表示され、利用者８が操作スイッチ７を操作することで、選択及び決定が行われる。選択された背景を識別する情報はＲＡＭ１６に一時的に記憶される。次に、選択された背景を表示する（Ａ３）。具体的には、ＲＡＭ１６に記憶されている背景識別情報を画像制御ＩＣ２１に送信する。画像制御ＩＣ２１は、その背景識別情報に基づいて、画像ＲＯＭ２３から背景動画を取得し、その背景動画を背景液晶ディスプレイ９に表示させる。
【００４８】
続いて、送風機４の風量の選択を行う（Ａ４）。具体的には、風量の選択メニューが液晶ディスプレイ６に表示され、利用者８が操作スイッチ７を操作することで、選択及び決定が行われる。選択された風量を識別する情報はＲＡＭ１６に一時的に記憶される。次に撮影カウントダウンを開始する（Ａ５）。具体的には、画像制御ＩＣ２１にカウントダウン信号を送信し、液晶ディスプレイ６に５秒前からのカウントダウン映像を表示させることで、ＣＣＤカメラ５が撮影している映像を取得して画像データにするタイミングを利用者８に報知する。次に、選択された風量に基づいて、送風機４を駆動する（Ａ６）。具体的には、ＲＡＭ１６に記憶されている風量識別情報を送風機駆動回路２５に送信する。送風機駆動回路２５は、その風量識別情報に基づいて、送風機４を駆動させる。また、この送風機４の駆動は、次のＡ５のカウントダウンの３秒前の時点から行われる。
【００４９】
続いて、撮影を行う（Ａ７）。具体的には、撮影制御回路２０に撮影命令信号が送信される。撮影制御回路２０はＣＣＤカメラ５が撮影している映像を所定のタイミングで画像データとして取得する。撮影された画像データは、ハードディスク１９に保存される。また、撮影と同時に、撮影カウントに１が加算される。次に、所定枚数撮影したかどうかの判定を行う（Ａ８）。具体的には、撮影カウントと、予め設定された所定枚数とを比較する。所定枚数撮影されていない場合（Ａ８：ＮＯ）、Ａ２〜Ａ７の処理を繰り返す。所定枚数撮影された場合（Ａ８：ＹＥＳ）、撮影した画像データをサーバ装置２に送信する（Ａ９）。
【００５０】
サーバ装置２は、自動写真撮影装置１から画像データを受信した場合、後述の図５に示される、ＵＲＬ生成ルーチンが開始される。ＵＲＬ生成ルーチンは、自動写真撮影装置１に、サーバ装置２に保存された画像データにアクセスするためのＵＲＬを送信する。ＵＲＬ生成ルーチンについては、後に詳述する。自動写真撮影装置１は、Ａ８の処理にて画像データをサーバ装置２に送信した後、サーバ装置２からＵＲＬが受信待機する（Ａ１０）。サーバ装置２からＵＲＬを受信しない場合（Ａ１０：ＮＯ）、受信待機を続ける。サーバ装置２からＵＲＬを受信した場合（Ａ１０：ＹＥＳ）、受信したＵＲＬを二次元コードに暗号化する（Ａ１１）。具体的には、ＵＲＬを受信すると、受信したＵＲＬをＲＯＭ１７に格納されている二次元コード暗号化プログラムにより、二次元コードに暗号化する。
【００５１】
続いて、タッチパネル式モニタ１１に二次元コードを表示する（Ａ１２）。具体的には、Ａ１０にて生成した二次元コードをモニタ制御回路２６に送信し、モニタ制御回路２６は受信した二次元コードをタッチパネル式モニタ１１に二次元コードを表示する。また、同時に表示した二次元コードを印刷するか否かを利用者８へ求める表示を行う。
【００５２】
続いて、二次元コードを印刷済みかどうかの判定を行う（Ａ１３）。既に印刷済みの場合（Ａ１３：ＹＥＳ）、撮影ルーチンを終了する。印刷済みでない場合（Ａ１３：ＮＯ）、印刷要求フラグがオンになっているか否かを判定する（Ａ１４）。尚、印刷要求フラグとは、利用者８がタッチパネル式モニタ１１上にて印刷を行う操作が行われた場合、オンになるものである。印刷要求フラグがオンになっている場合（Ａ１４：ＹＥＳ）、表示されている二次元コードの印刷が行われる（Ａ１５）。また、印刷要求フラグがオンになっていない場合（Ａ１４：ＮＯ）、所定時間内か否かが判定される（Ａ１６）。所定時間内の場合（Ａ１６：ＹＥＳ）、Ａ１３〜Ａ１５の処理が繰り返される。所定時間内でない場合（Ａ１６：ＮＯ）、撮影ルーチンを終了する。
【００５３】
（サーバ装置２の動作：ＵＲＬ生成ルーチン）
次に、図５に示すＵＲＬ生成ルーチンのフローチャートを参照して、サーバ装置２におけるＣＰＵ２９のＵＲＬ生成動作について説明する。ＵＲＬ生成ルーチンは、自動写真撮影装置１から画像データを受信することで開始される。
【００５４】
初めに、ＣＰＵ２９は自動写真撮影装置１より、画像データを受信する（Ｂ１）。具体的には、インターネット回線を介して、通信ポート３０を通し画像データを受信し、ハードディスク３４に保存される。次に、受信した画像データに対して採番処理を行い、ＩＤを付ける（Ｂ２）。次に、採番したＩＤと登録日時と保存した画像データのファイルパスを関連付けて、ハードディスク３４内の画像データテーブルに格納する（Ｂ３）。次に、画像データにアクセスするためのＵＲＬを生成する（Ｂ４）。具体的には、サーバ装置２にアクセスするためのアドレス情報と、画像データを特定するためのＩＤとに基づいてＵＲＬを生成する。次に、生成したＵＲＬを自動写真撮影装置１に送信して、ＵＲＬ生成ルーチンを終了する。
【００５５】
（サーバ装置２の動作：リダイレクトルーチン）
次に、図６に示すリダイレクトルーチンのフローチャートを参照して、サーバ装置２におけるＣＰＵ２９のリダイレクト動作について説明する。リダイレクトルーチンは、携帯電話機３が、自動写真撮影装置１が表示若しくは印刷した二次元コードを読み取ることで、サーバ装置２の画像データに対するＵＲＬを取得し、サーバ装置２が、携帯電話機３からのアクセス要求を受けることで開始される。
【００５６】
初めに、携帯電話機３よりサーバ装置２のアドレス情報と、画像データを特定するためのＩＤとを含むＵＲＬによって、サーバ装置２にアクセス要求が行われる（Ｃ１）。次に、サーバ装置２のＣＰＵ２９は、要求のあったＵＲＬより、ＩＤを判断し、画像データテーブルより、そのＩＤをキーに画像データの保存場所を特定し、画像データを取得する（Ｃ２）。次に、取得した画像データを要求のあった携帯電話機３にＨＴＴＰ（Ｈｙｐｅｒｔｅｘｔ  Ｔｒａｎｓｆｅｒ  Ｐｒｏｔｏｃｏｌ）リダイレクトすることで、携帯電話機３に画像データをダウンロードさせ（Ｃ３）、リダイレクトルーチンを終了する。
【００５７】
（サーバ装置２の動作：画像削除ルーチン）
次に、図７に示すリ画像削除ルーチンのフローチャートを参照して、サーバ装置２におけるＣＰＵ２９の画像削除動作について説明する。画像削除ルーチンは、サーバ装置２において、設定された所定の時刻になると開始される。
【００５８】
初めに、ＣＰＵ２９は、画像データテーブルに格納されているデータの登録日時と現在日時を比較する（Ｄ１）。次に、１０日以上の差があるかどうかを判定する（Ｄ２）。１０以上の差がある場合（Ｄ２：ＹＥＳ）、対応する画像データの削除及び画像データテーブルの対応する列データの削除を行う（Ｄ３）。１０以上の差がない場合（Ｄ２：ＮＯ）、全てのデータをチェックしたか否かの判定を行う（Ｄ４）。全てのデータをチェックしていない場合（Ｄ４：ＮＯ）、Ｄ１〜Ｄ３の処理を繰り返す。また、全てのデータをチェックした場合（Ｄ４：ＹＥＳ）、画像削除ルーチンを終了する。
【００５９】
（本実施形態の概要）
以上のように、本実施の形態における自動写真撮影装置１は、図１ないし図７に示すように、撮影対象物（利用者８、背景液晶ディスプレイ９、ライド１０等）を撮影する撮影手段（ＣＣＤカメラ５等）と、撮影手段による撮影時に撮影対象物に風を吹き付ける送風手段（送風機４）と、撮影手段で撮影した画像データを記憶する画像データ記憶手段（ハードディスク１９）と、画像データを出力する出力手段（通信ポート１５、タッチパネル式モニタ１１、プリンタ２８等）とを備えた構成にされている。
【００６０】
この構成によると、撮影時に撮影対象物に対し送風手段によって風を送ることにより、撮影対象物の躍動感ある様子を撮影することができる。これにより、利用者の興味を引く撮影装置を提供することができ、管理者の利益を向上させることが可能になる場合がある。
【００６１】
また、画像データを画像データ記憶手段に記憶することができると共に、この記憶した画像データを出力手段により出力することができるため、利用者は出力手段を用いて任意の時間に記憶された画像データを取得することができる。この結果、利用者にとって利便性の高い撮影装置となる。
【００６２】
また、本実施の形態における自動写真撮影装置１は、外部機器（携帯電話機３）とのデータ通信が可能である外部装置（サーバ装置２）とデータ通信可能に接続するデータ通信手段（通信ポート１５等）をさらに有し、出力手段は、画像データを外部装置にデータ通信手段を介して送信する画像データ送信手段（通信ポート１５等）を備えた構成にされている。
【００６３】
この構成によると、外部装置に画像データ送信手段を用いて画像データを送信して保管しておくことができる。これにより、例えば、外部装置がサーバ装置であって、このサーバ装置で管理されるＷＥＢサイト等に保存された場合、携帯電話等の外部機器でデータ通信することにより保管された画像データを取得することができる場合がある。
【００６４】
さらに、本実施の形態における自動写真撮影装置１は、外部装置において処理された画像データに関する情報を、データ通信手段を介して外部装置から受信する画像情報受信手段（通信ポート１５等）をさらに有し、出力手段は、画像データに関する情報を報知する報知手段（タッチパネル式モニタ１１、プリンタ２８等）を備えた構成にされている。
【００６５】
この構成によると、外部装置で処理がなされた画像データに関する情報が報知手段により報知されるようになっている。これにより、利用者は画像データの処理内容や保存先等を把握できるようになる。例えば、外部装置がサーバ装置であって、そのサーバ装置で管理されるＷＥＢサイト等に画像データが保存された場合、利用者に対して、そのＷＥＢサイトへのアクセス先を特定するアドレス情報を報知できる。これにより、利用者は撮影した画像が印刷されるのを待つ必要がなく、報知されたアドレスにアクセスするだけで撮影した画像を取得することができる場合がある。
【００６６】
さらに、本実施の形態における自動写真撮影装置１は、画像データに関する情報を二次元コードに暗号化する二次元コード化手段（ＣＰＵ１４等）をさらに備え、画像データに関する情報は、外部装置により外部からアクセス可能にされた画像データへのアクセス先を特定するアドレス情報を有し、報知手段は、外部機器を介して読み取り可能に二次元コードを表示及び印刷することが可能である構成にされている。
【００６７】
この構成によると、外部装置に送信した画像データに関する情報を二次元コードにて利用者に報知手段により表示または印刷できるため、例えば、利用者にアクセスして欲しいアドレス情報である画像データのＵＲＬを二次元コードにて提供することで、利用者が現在多くの携帯電話機に備えられている二次元コード読み取り機能を使用することにより、利用者は容易に画像データにアクセスすることができる場合がある。
【００６８】
さらに、本実施の形態におけるサーバ装置２は、上述の自動写真撮影装置１とデータ通信可能に接続するデータ通信手段（通信ポート３０等）と、撮影装置から画像データを受信する画像データ受信手段（通信ポート３０等）と、画像データを記憶する管理側画像データ記憶手段（ハードディスク３４）と、画像データを外部からアクセス可能にする画像データ管理手段（ＣＰＵ２９等）と、アクセス可能にされた画像データの情報を撮影装置に送信する画像データ情報送信手段（通信ポート３０等）とを備えた構成にされている。
【００６９】
この構成によると、例えば、撮影装置が外部に画像を保存した場合、その画像データにアクセスするためのアドレス情報である画像データのＵＲＬを撮影装置に送信することができ、利用者に画像データのＵＲＬを報知することで、例えば携帯電話機により、そのＵＲＬにアクセスすることで、保存された画像を取得することができる。これにより、保存された画像に対して容易にアクセスすることができ、ユーザの利便性を向上させることが可能になる場合がある。
【００７０】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００７１】
例えば、上述の実施の形態では、自動写真撮影装置１は撮影対象物としてライド１０を備えていたが、これに限定されることはない。例えば、図８に示されるように、自動写真撮影装置１はライド１０を有することはなく、送風機４を底面に備えている。これにより、利用者８が写真を撮影するときに、撮影のタイミングで送風機４から風を発生させることで、利用者８にとって意外性のある写真の撮影をすることができる効果を提供できるものであってもよい。尚、図８には、利用者８が一人の場合を示しているが、少なくとも二人以上が撮影できるようになっていてもよい。
【００７２】
また、上述の実施の形態では、自動写真撮影装置１は、利用者８に対して、サーバに保存した画像データのＵＲＬを提供するものであったが、これに限定されるものではない。例えば、自動写真撮影装置１は単体で稼動するものであり、撮影対象に風を吹きつけた状態を撮影することを特徴とし、利用者８に対しては撮影したものを印刷物として提供することで、躍動感のある画像をその場で利用者８に渡すことができる効果を提供できるものであってもよい。
【００７３】
また、上述の実施の形態では、サーバ装置２は、画像データテーブルにハードディスク３４内に保存された画像データのファイルパスを格納していたが、これに限定されるものではない。例えば、画像データテーブルに画像データのバイナリデータを直接格納することで、画像データの管理を容易にする効果を提供できるものであってもよい。
【００７４】
また、上述の実施の形態では、画像データに関する情報を報知する手段として、二次元コードを表示若しくは印刷し、携帯電話機３に読み取らせることで、サーバ装置２のＵＲＬを利用者８に報知していたが、これに限定されることはない。例えば、赤外線通信等の非接触型の通信技術を利用することで、様々なニーズに合った報知方法が提供できるものであってもよい。
【００７５】
また、上述の実施の形態では、画像データを静止画像としていたが、これに限定されることはなく、例えば、動画データにすることで、利用者８の利用用途を広げる効果を提供できるものであってもよい。
【００７６】
また、上述の実施の形態では、画像データを利用者８に送信する手段として、ＨＴＴＰリダイレクトを利用していたが、これに限定されることはない。例えば、ＦＴＰ（Ｆｉｌｅ  Ｔｒａｎｓｆｅｒ  Ｐｒｏｔｏｃｏｌ）を利用してダウンロードできるようにすることで、様々なニーズに合った画像データの取得方法が提供できるものであってもよい。
【００７７】
また、上述の実施の形態では、撮影時の送風機４による送風の発生は、映像を画像データとして取得する３秒前から開始されていたが、これに限定されることはない。例えば、送風ボタンを別に備えることで、送風ボタンを押下することによって送風が開始されたり、送風自体の開始をするか否かを自動写真撮影装置１がランダムで決定したりするものであってもよい。
【００７８】
また、上述の実施の形態では、自動写真撮影装置１、サーバ装置２、携帯電話機３で構成される撮影システム１００としての実施例としていたが、これに限定されることはない。例えば、自動写真撮影装置１が単体として稼動するものでもよいし、自動写真撮影装置１に遊技機能が追加されているものでもよい。
【００７９】
また、上述の実施の形態では、自動写真撮影装置１とサーバ装置２が離れた場所にあるとしていたが、これに限定されることはない。例えば、自動写真撮影装置１とサーバ装置２が同じ遊技場に配置されているものでもよいし、自動写真撮影装置１とサーバ装置２との両方の機能を有する撮影装置となっているものでもよい。
【００８０】
尚、本実施形態においては、自動写真撮影装置１として利用者８を撮影ブース内において撮影される装置を用いて説明したが、これに限定されるものではなく、アーケードゲーム機等の遊技機に付属しているものであってもよい。
【図面の簡単な説明】
【００８１】
【図１】実施例１における撮影システムの全体構成を示す概略図。
【図２】実施例１における撮影システムの電気的構成を示すブロック図。
【図３】実施例１における画像データテーブルを示す図。
【図４】撮影ルーチンのフローチャートを示す図。
【図５】ＵＲＬ生成ルーチンのフローチャートを示す図。
【図６】リダイレクトルーチンのフローチャートを示す図。
【図７】画像削除ルーチンのフローチャートを示す図。
【図８】本発明の変形例を示す自動写真撮影装置の正面図。
【符号の説明】
【００８２】
１  自動写真撮影装置
１ａ  撮影ブース
１ｂ  タッチパネル式モニタ筐体
２  サーバ装置
３  携帯電話機
４  送風機
５  ＣＣＤカメラ
６  液晶ディスプレイ
７  操作スイッチ
８  利用者
９  背景液晶ディスプレイ
１０  ライド
１１  タッチパネル式モニタ
１２  印刷排出口
１３  コイン投入口
１４  ＣＰＵ
１５  通信ポート
１９  ハードディスク
２８  プリンタ
２９  ＣＰＵ
３０  通信ポート
３４  ハードディスク
１００  撮影システム
【図１】
2008076796.tif 000003
【図２】
2008076796.tif 000004
【図３】
2008076796.tif 000005
【図４】
2008076796.tif 000006
【図５】
2008076796.tif 000007
【図６】
2008076796.tif 000008
【図７】
2008076796.tif 000009
【図８】
2008076796.tif 000010